【事件の表示】
　特願２００８−１３８５９５「タッチパネル」拒絶査定不服審判事件〔平成２１年　５月１４日出願公開、特開２００９−１０４５７６〕について、次のとおり審決する。
【結　論】
　本件審判の請求は、成り立たない。
【理　由】
１　手続の経緯・本願発明 
　
　本件は、平成２０年５月２７日（パリ条約による優先権主張、２００７年１０月２３日、中国）の出願であって、平成２１年１０月１３日付けで拒絶理由が通知され、平成２２年１月１４日付けで手続補正がなされ、同年４月１４日付けで最後の拒絶理由が通知され、同年６月２１日付けで手続補正がなされたが、同年７月２６日付けで前記同年６月２１日付け手続補正の却下の決定がなされるとともに最後の拒絶理由が通知され、同年１１月１７日付けで手続補正がなされ、平成２３年２月１日付けで拒絶査定がなされ、これに対して、同年６月８日に拒絶査定不服の審判が請求されたものである。
　そして、その請求項１に係る発明は，平成２２年１１月１７日付け手続補正書の特許請求の範囲の請求項１に記載された次のとおりのものと認める。（以下，「本願発明」という。） 
　
　「基板と、前記基板に設置される透明な導電層と、別々に前記基板の隅に設置される少なくとも二つの電極と、を含み、
　前記透明な導電層は、カーボンナノチューブ層を含み、
　前記カーボンナノチューブ層は、少なくとも一枚のカーボンナノチューブフィルムを含み、
　前記カーボンナノチューブフィルムは、整列されている複数のカーボンナノチューブからなることを特徴とする静電容量方式タッチパネル。」
　
２．引用例
　
　原査定の拒絶の理由に引用された本願の優先日前に頒布された中山喜萬，１９項　ＣＮＴの糸状長尺化とシート化技術の開発，ナノカーボンハンドブック，日本，株式会社エヌ・ティー・エス，２００７年７月１７日，初版，ｐ．２６１−２６６（以下引用例１」という。）には、図面とともに以下の事項が記載されている。
　
ａ）「ＣＮＴの糸やシートを作るために使われるブラシ状ＣＮＴは化学気相合成（ＣＶＤ）法により合成され多層のものである。基板はシリコンウェハー、その上に触媒として４〜５ｎｍの鉄薄膜を塗布してある。これを反応管内に設置し、大気圧のＨｅ雰囲気中で７００℃程度の温度まで昇温する。そこに原料ガスとしてアセチレンを導入する。数秒から十分程度で１００〜４００μｍの高さのブラシ状ＣＮＴがシリコン基板上に合成される。」（２６２頁左欄の記載。）
　
ｂ）「ブラシ状ＣＮＴの端部分をつまみ基板表面に平行方向に引張ることにより、つまみ出した幅のＣＮＴシートが引き出される。ブラシ状ＣＮＴでは基板表面に垂直にＣＮＴが配向しているのに対し、後者の引き出されたシートではＣＮＴがシート面内にあり、引き出し方向に配向していることに注意していただきたい。」（２６２頁右欄の記載。）
　
ｃ）「ブラシ状ＣＮＴから幅広で引き出すとその幅のシートが引き出せる・・・ＣＮＴシート内では、引き出し方向にＣＮＴが配向している。・・・また、このシートをガラス基板上に配置してエタノール等の液を滴下乾燥させることにより、厚みを５０ｎｍ、密度を０．５ｇ／ｃｍ３にまで高めることができる。このとき、シートのガラス基板への接着力は非常に強い。」（２６４頁右欄の記載。）
　
ｄ）「ＣＮＴシートは４００ｎｍ〜２μｍの広範囲の光の波長に対して透過性が良い。・・・先の透明性を考慮すれば、透明導電膜としての用途も視野に入る。」（２６５頁左欄の記載。）
　
　してみると、引用例１には以下の発明（以下、「引用例１記載の発明」という。）が記載されている。
　「ブラシ状ＣＮＴから、ＣＮＴが引き出し方向に配向しているシートを製造し、
　該シートをガラス基板上に配置した透明導電膜。」 
　 
　原査定の拒絶の理由に引用された本願の優先日前に頒布された黒沢理，第５章　静電容量式タッチパネルの最新技術動向，タッチパネルの技術と開発，日本，株式会社　シーエムシー出版，２００４年１２月２７日，第１刷，ｐ．５４−６４（以下「周知例１」という。）には、図面とともに以下の事項が記載されている。
　
ｅ）「２　静電容量式タッチパネルのパネル構成
　パネル構成の断面の一例を図１に示した。
　一般的にはガラス一枚で構成されており，その表裏に透明導電膜及び保護膜（オーバーコート）が形成されている。以下にタッチ面側からの形成膜などのそれぞれの役割を簡単に解説する。
・・・
（２）（○付き数字２を（２）として記載した。以下同様。）表面オーバーコート
　表面透明導電膜の耐傷性を向上させるために設けられ，一般には９Ｈ以上の硬度を持ったＳｉＯ２膜が使用されている。ＩＴＯ等の透明導電膜の表面反射率を押さえ透過率向上のため膜厚もコントロールされている。
（３）表面透明導電膜（電界層）
　抵抗値を持った透明薄膜で，周りに平等電界を得るための周辺電極が取り付けられている。電流は４辺あるいは４角から入力される。導電膜の材質・シート抵抗や平等電界作製法は各社色々であり，回路・位置計算ソフトはこの表面透明導電膜の性質に依存している。
・・・
（５）ガラス基板
　静電容量式タッチパネルは通常１．８ｍｍ〜３．２ｍｍ厚のガラスが使用されている。しかし３．２ｍｍのガラスを二枚重ね合わせた８ｍｍ程の非常に厚いガラスや１．１ｍｍの薄い強化ガラスが用いられる用途もある。３ｍｍ以下のガラス基板にはＣａとＫを置換した化学強化ガラスが良く用いられている。」（５５頁１行〜５６頁１０行の記載。）
　
ｆ）「３　静電容量式タッチパネルの駆動回路
　静電容量式タッチパネルは，透明導電膜に微弱な電流（交流）を流しておき，パネルに人が触れた時，人体容量を経由してそれが大地に流れる。その時の微弱な電流値を検出して位置を求めている。実際には，人がタッチしていない時はそれぞれが同電位のためパネルには電流が流れていない。
　静電容量式タッチパネルの平等電界を得る方法を図２と図３に示した。図２は４辺入力タイプであり，図３は４角入力タイプである。
　駆動信号は正弦波でも矩形波でも良く，パネルに平等電界を作製するために，パネル透明導電膜の外周囲に電極が取り付けられている。
・・・
　４角入力タイプの場合は，一般に次のどちらかの方法で透明導電膜とマッチングさせ平等電界を得ている。
（１）額縁状の抵抗印刷
（２）導電材のセグメント印刷
　４辺入力タイプの場合，検出方法は非常に簡単で上下／左右の電流比で計算できるが，４角入力タイプの場合の検出は４辺からの距離の比を出すために位置計算ソフトに若干の工夫が必要である。一例としては，パネル中心を０としてＸ・Ｙの位置は次のようになる。
　Ｘ軸：Ｌ１＋Ｌ４−Ｌ２−Ｌ３／Ｌ１＋Ｌ２＋Ｌ３＋Ｌ４
　Ｙ軸：Ｌ１＋Ｌ２−Ｌ３−Ｌ４／Ｌ１＋Ｌ２＋Ｌ３＋Ｌ４」（５７頁１５行〜５９頁７行の記載。）
　
　原査定で示された本願の優先日前に頒布された特開２００３−９９１９２号公報（以下「周知例２」という。）には、図面とともに以下の事項が記載されている。
　
ｇ）「【０００７】
【発明の実態の形態】以下、本発明の静電容量式タッチパネル装置における好ましい実施の形態例について図面を参照して説明する。
・・・
【０００９】また、図１（ｂ）に示すように、共通透明電極９の四隅には電流検出器１〜４が取り付けられ、共通透明電極９と共に電流検出回路５を構成している。
・・・
【００１１】・・・この際、共通透明電極９の四隅から電圧が加えられるので、この共通透明電極９に電界が広がり液晶画面２０に均一な電圧の電場が作り出される。
【００１２】このような状態において、液晶画面２０に表示された文字や画像から選択すべき項目が位置する透明絶縁板７上の接触部を、指等の接触物によってタッチすると、接触部分が容量結合して静電容量が変化するので、共通透明電極９の四隅に取り付けられた電流検出器１〜４には、それぞれ接触物までの距離に比例した電流信号Ｓ１〜Ｓ４が流れる。この各電流検出器１〜４で検出された電流値に基づき信号処理回路６は指の位置座標を計算し、その位置座標を示す座標信号Ｓ５を制御回路１２に出力する。」（段落【０００７】〜【００１２】の記載。）
　
　原査定の拒絶の理由に引用された本願の優先日前に頒布された国際公開第２００６／１２６６０４号（以下「周知例３」という。）には、図面とともに以下の事項が記載されている。
　
ｈ）「［０００３］　この透明タッチスイッチは、液晶表示装置やＣＲＴなどの表面に装着して用いられる」（［０００３］の記載。）
　
ｉ）「［０１１４］　図１８は、本発明に係る透明タッチスイッチの第３実施形態を示す概略断面図である。この透明タッチスイッチ１０１は、静電容量式のタッチスイッチであり、透明基板１１の一方面にパターニングされた透明導電膜１２が形成された第１の透明面状体１と、透明基板２１の一方面にパターニングされた透明導電膜２２が形成された第２の透明面状体２とを備えている。」（［０１１４］の記載。）
　
ｊ）「［０１１７］　また、カーボンナノチューブやカーボンナノホーン、カーボンナノワイヤ、カーボンナノファイバー、グラファイトフィブリルなどの極細導電炭素繊維をバインダーとして機能するポリマー材料に分散させた複合材を透明導電膜１２，２２の材料として用いることもできる。」（［０１１７］の記載。）
　
　原査定で示された本願の優先日前に頒布された国際公開第２００５／１０４１４１号（以下「周知例４」という。）には、図面とともに以下の事項が記載されている。
　
ｋ）「［００１２］　また、本発明の第三のタッチパネル用透明導電成形体は、透明な基材の少なくとも片面に、極細導電繊維を含んだ透明な導電層が形成された成形体であって、上記極細導電繊維が１本ずつ分離した状態で、もしくは、複数本集まって束になったものが１束ずつ分離した状態で、分散して互いに接触していることを特徴とするものである。
［００１３］　本発明において、極細導電繊維としては炭素繊維、特にカーボンナノチューブが好ましく用いられ、これらが１本ずつ分離した状態で分散して互いに接触し、或は、複数本集まって束になった状態で１束ずつ分散して互いに接触していることが好ましい。」（［００１２］〜［００１３］の記載。）
　
３．対比
　
本願発明と引用例１記載の発明とを対比する。 
　
（１）引用例１記載の発明の「ガラス基板」は、本願発明の「基板」に、引用例１記載の発明の「透明導電膜」は、本願発明の「透明な導電層」にそれぞれ相当する。
　
（２）引用例１記載の発明の「ＣＮＴ」がカーボンナノチューブを表すのは明らかであり、引用例１記載の発明の「ブラシ状ＣＮＴ」から製造された「ＣＮＴが引出方向に配向しているシート」は「整列されている複数のカーボンナノチューブからなる」「カーボンナノチューブフィルム」といえる。
　
（３）本願の明細書には、カーボンナノチューブ層について「前記透明な導電層４０はカーボンナノチューブ層（図示せず）を含む。」（段落【００２０】の記載。）、「前記透明な導電層４０の前記カーボンナノチューブ層は少なくとも一枚のカーボンナノチューブフィルムを含む。」（段落【００２２】の記載。）、「本実施形態において、前記カーボンナノチューブ層は一枚のカーボンナノチューブフィルムを含む。」（段落【００２３】の記載。）と記載されているから、本願発明の「透明な導電層は、カーボンナノチューブ層を含み、前記カーボンナノチューブ層は、少なくとも一枚のカーボンナノチューブフィルムを含」むものであることは、「透明な導電層」が「少なくとも一枚のカーボンナノチューブフィルムを含」むものと同様の場合を含むといえ、引用例１記載の発明の「ＣＮＴが引出方向に配向しているシート」からなる「透明導電膜」は本願発明の「透明な導電層は、カーボンナノチューブ層を含み、前記カーボンナノチューブ層は、少なくとも一枚のカーボンナノチューブフィルムを含」むものに相当する。
　
　したがって、両者は以下の一致点と相違点とを有する。 
　
＜一致点＞
　
　「基板と、前記基板に設置される透明な導電層と、を含み、
　前記透明な導電層は、カーボンナノチューブ層を含み、
　前記カーボンナノチューブ層は、少なくとも一枚のカーボンナノチューブフィルムを含み、
　前記カーボンナノチューブフィルムは、整列されている複数のカーボンナノチューブからなることを特徴とする基板と透明な導電層。」
　
＜相違点１＞
　
　本願発明は「別々に前記基板の隅に設置される少なくとも二つの電極と、を含」むものであるのに対し、引用例１記載の発明はその様な記載がない点。
　
＜相違点２＞
　
　本願発明は「静電容量式タッチパネル」であるのに対し、引用例１記載の発明は透明導電膜の用途が明示されていない点。 
　 
４．当審の判断
　
＜相違点１および相違点２について＞
　
　周知例１，２に記載されるように、４隅にそれぞれ電極を設けた静電容量方式タッチパネルは周知のものである。
　また、周知例３，４に記載されるように、タッチパネルの透明導電膜としてカーボンナノチューブを含む透明導電膜を用いることも周知技術である。
　よって、上記周知の静電容量方式タッチパネルの透明導電膜として引用例１記載の発明の透明な導電層を用いて相違点１および相違点２に係る本願発明の構成を得ることは、当業者が容易に想到し得たものである。
　
　そして、本願発明が奏する作用、効果についてみても、引用例１記載の発明及び周知の技術から当業者が予想できる程度のものである。
　
５．むすび
　
　以上のとおり，本願発明は，引用例１に記載された発明及び周知技術に基づいて，当業者が容易に発明をすることができたものであるから，特許法第２９条２項の規定により特許を受けることができない。
　
　よって，結論のとおり審決する。